(57)【要約】【課題】省スペース化を図ると共に多形状の目盛りを指示可能にしつつ目盛りに囲まれた部分を空けることができる指針装置を提供する。【解決手段】指針移動部２０が、隣り同士が噛み合うように目盛りに沿って配列された複数のギア２１と、該複数のギア２１の一つを回転させるモータ２２とを有している。そして、指針部材１０が、目盛りを指示する指針本体１１と、複数のギア２１のうち同一方向に回転するギア２１と噛み合うように設けられたラック１２とを有している。【選択図】図１
2008128948.tif 000002
【特許請求の範囲】
【請求項１】
目盛りが形成された文字板と、該目盛りを指示する指針部材と、該指針部材を前記目盛りに沿って移動させる指針移動手段とを備えた指針装置において、
前記指針移動手段が、隣り同士が噛み合うように前記目盛りに沿って配列された複数のギアと、該複数のギアの一つを回転させる駆動手段とを有し、そして、
前記指針部材が、前記目盛りを指示する指針本体と、前記複数のギアのうち同一方向に回転するギアと噛み合うように設けられたラックとを有する
ことを特徴とする指針装置。
【請求項２】
前記目盛りに囲まれるように他の表示器が配置されることを特徴とする請求項１記載の指針装置。
【請求項３】
前記駆動手段が、その駆動軸が前記複数のギアのうち中央の一つに取り付けられていることを特徴とする請求項１又は２に記載の指針装置。
【請求項４】
前記複数のギアとの間に前記指針部材を挟むように、前記目盛りに沿ってガイド壁が設けられ、そして、
前記指針部材が、前記ガイド壁と摺接する板バネを有していることを特徴とする請求項１〜３何れか１項に記載の指針装置。
【請求項５】
前記複数のギアとの間に前記指針部材を挟むように、前記目盛りに沿ってガイド壁が設けられ、そして、
前記指針部材が、前記ガイド壁と摺接して回転するガイドローラ又はプーリーを有する
ことを特徴とする請求項１〜３何れか１項に記載の指針装置。
【請求項６】
前記ガイドローラ又はプーリが、前記指針本体側に設けられ、そして、
前記ラックが、前記ガイド壁と垂直方向に伸縮するスプリングを介して前記指針本体に取り付けられていることを特徴とする請求項５に記載の指針装置。
【請求項７】
前記複数のギアが、交互に配列された全歯ギア及び半歯ギアを有し、そして、
前記ラックが、前記全歯ギアに噛み合うように設けられたことを特徴とする請求項１〜６何れか１項に記載の指針装置。
【請求項８】
前記複数のギアが、交互に配列された第１のギア及び該第１のギアよりも小さい第２のギアを有し、
前記第２のギアが、前記第１のギアの回転軸よりも前記指針部材とは離れた側で前記第１のギアと噛み合うように配列され、そして、
前記ラックが、前記第１のギアに噛み合うように設けられていることを特徴とする請求項１〜６何れか１項に記載の指針装置。
【発明の詳細な説明】
【技術分野】
【０００１】
本発明は、指針装置に係り、特に、文字板に形成された目盛りを指示する指針部材と、該指針部材を前記目盛りに沿って移動させる指針移動手段とを備えた指針装置に関するものである。
【背景技術】
【０００２】
従来、例えば自動車に搭載される指針装置として、図８に示すようなものが知られている（特許文献１）。特許文献１に記載された指針装置は、円弧状の目盛りが設けられた文字板１と、該目盛りを指示する指針部材２と、文字板１の中央に設けられた液晶表示器３とを備えている。
【０００３】
上記指針部材２は、図９に示すように、目盛りとほぼ同じ径のリングギア４上に設けられている。このリングギア４は、モータ５の駆動軸に取り付けられたギア６と噛み合うように設けられている。これにより、モータ５の回転力がギア６を介してリングギア４に伝わり、リングギア４が回転して指針部材２が回転する。このように、リングギア４に指針部材２を設けることにより、文字板１の中央に液晶表示器３を配置するためのスペースを設けることができる。
【０００４】
しかしながら、上述した従来の指針装置では、目盛りとほぼ同じ径の大きなリングギア４を使うため、このリングギア４を支承する支承箇所７を複数設ける必要があり省スペース化を図ることができないという問題があった。また、円弧状の目盛りにしか対応できないという問題もあった。
【０００５】
そこで、特許文献２に目盛りに沿ったラックを設けると共に、このラックに噛み合うギア、ラックに沿って移動可能なモータ及び指針部材を一体に設けた指針装置が提案されている。しかしながら、この指針装置は、モータを指針部材と共に移動させる必要があり、移動するモータに電源供給を行うのは非常に困難であるという問題があった。
【特許文献１】特開２０００−１３１０９９号公報
【特許文献２】特開２００５−９１０３２号公報
【発明の開示】
【発明が解決しようとする課題】
【０００６】
そこで、本発明は、上記のような問題点に着目し、省スペース化を図ると共に多形状の目盛りを指示可能にしつつ目盛りに囲まれた部分を空けることができる指針装置を提供することを課題とする。
【課題を解決するための手段】
【０００７】
上記課題を解決するためになされた請求項１記載の発明は、目盛りが形成された文字板と、該目盛りを指示する指針部材と、該指針部材を前記目盛りに沿って移動させる指針移動手段とを備えた指針装置において、前記指針移動手段が、隣り同士が噛み合うように前記目盛りに沿って配列された複数のギアと、該複数のギアの一つを回転させる駆動手段とを有し、そして、前記指針部材が、前記目盛りを指示する指針本体と、前記複数のギアのうち同一方向に回転するギアと噛み合うように設けられたラックとを有することを特徴とする指針装置に存する。
【０００８】
請求項１記載の発明によれば、駆動手段が複数のギアの一つを回転させると、この回転力が複数のギアに伝わり、全てのギアが回転する。ラックが複数のギアのうち同一方向に回転するギアと噛み合うため、指針部材をギアの配列、即ち目盛りに沿って移動させることができる。従って、小さなギアを目盛りに沿って配列することにより、指針部材を目盛りに沿って移動させることができる。
【０００９】
請求項２記載の発明は、前記目盛りに囲まれるように他の表示器が配置されることを特徴とする請求項１記載の指針装置に存する。
【００１０】
請求項２記載の発明によれば、他の表示器が、目盛りに囲まれるように配置されている。従って、小さなギアを目盛りに沿って配列することにより、目盛りに囲まれるように他の表示器が配置されていても指針部材を目盛りに沿って移動させることができる。
【００１１】
請求項３記載の発明は、前記駆動手段が、その駆動軸が前記複数のギアのうち中央の一つに取り付けられていることを特徴とする請求項１又は２に記載の指針装置に存する。
【００１２】
請求項３記載の発明によれば、駆動手段が、その駆動軸が複数のギアのうち中央の一つに取り付けられているので、ギアのバックラッシュによる指示誤差を低減することができる。
【００１３】
請求項４記載の発明は、前記複数のギアとの間に前記指針部材を挟むように、前記目盛りに沿ってガイド壁が設けられ、そして、前記指針部材が、前記ガイド壁と摺接する板バネを有していることを特徴とする請求項１〜３何れか１項に記載の指針装置に存する。
【００１４】
請求項４記載の発明によれば、複数のギアとの間に指針部材を挟むように、目盛りに沿ってガイド壁が設けられ、指針部材がガイド壁と摺接する板バネを有するので、指針部材を目盛りに沿ってスムーズに移動させることができる。
【００１５】
請求項５記載の発明は、前記複数のギアとの間に前記指針部材を挟むように、前記目盛りに沿ってガイド壁が設けられ、そして、前記指針部材が、前記ガイド壁と摺接して回転するガイドローラ又はプーリーを有することを特徴とする請求項１〜３何れか１項に記載の指針装置に存する。
【００１６】
請求項５記載の発明によれば、複数のギアとの間に指針部材を挟むように、目盛りに沿ってガイド壁が設けられ、指針部材が、ガイド壁と摺接して回転するガイドローラ又はプーリーを有するので、指針部材を目盛りに沿ってスムーズに移動させることができる。
【００１７】
請求項６記載の発明は、前記ガイドローラ又はプーリが、前記指針本体側に設けられ、そして、前記ラックが、前記ガイド壁と垂直方向に伸縮するスプリングを介して前記指針本体に取り付けられていることを特徴とする請求項５に記載の指針装置に存する。
【００１８】
請求項６記載の発明によれば、ラックが、ガイド壁と垂直方向に伸縮するスプリングを介して指針本体に取り付けられているので、ガイドローラ又はプーリーがガイド壁に接することにより発生する異音を防止することができる。さらに、ガイド壁とギア間の寸法のバラツキがあってもスプリングを設けることにより指針部材を目盛りに沿ってスムーズに移動させることができる。
【００１９】
請求項７記載の発明は、前記複数のギアが、交互に配列された全歯ギア及び半歯ギアを有し、そして、前記ラックが、前記全歯ギアに噛み合うように設けられたことを特徴とする請求項１〜６何れか１項に記載の指針装置に存する。
【００２０】
請求項７記載の発明によれば、ラックが、交互に配列された全歯ギア及び半歯ギアのうち全歯ギアに噛み合うように設けられている。従って、全歯ギアと逆方向に回転するギアを半歯ギアにすることにより、簡単に半歯ギアとラックとが噛み合わないように設けることができる。
【００２１】
請求項８記載の発明は、前記複数のギアが、交互に配列された第１のギア及び該第１のギアよりも小さい第２のギアを有し、前記第２のギアが、前記第１のギアの回転軸よりも前記指針部材とは離れた側で前記第１のギアと噛み合うように配列され、そして、前記ラックが、前記第１のギアに噛み合うように設けられていることを特徴とする請求項１〜６何れか１項に記載の指針装置に存する。
【００２２】
請求項８記載の発明によれば、第２のギアが、第１のギアの回転軸よりも指針部材とは離れた側で第１のギアと噛み合うように配列され、そして、ラックが、第１のギアに噛み合うように設けられている。従って、第１のギアと逆方向に回転する第２のギアを指針部材とは離れた側で第１のギアと噛み合うように配列することにより、簡単に第２のギアとラックとが噛み合わないように設けることができる。
【発明の効果】
【００２３】
以上説明したように請求項１記載の発明によれば、小さなギアを目盛りに沿って配列することにより、指針部材を目盛りに沿って移動させることができるので、省スペース化を図ると共に多形状の目盛りを指示可能にしつつ目盛りに囲まれた部分を空けることができる。
【００２４】
請求項２記載の発明によれば、目盛りに囲まれるように他の表示器を配置することができるので、目盛りに囲まれるように他の表示器を配置することができる。
【００２５】
請求項３記載の発明によれば、ギアのバックラッシュによる指示誤差を低減することができ、正確に目盛りを指示することができる。
【００２６】
請求項４及び５記載の発明によれば、指針部材を目盛りに沿ってスムーズに移動させることができるので、見栄えがよくなる。
【００２７】
請求項６記載の発明によれば、ガイドローラ又はプーリーがガイド壁に接することにより発生する異音を防止することができる。さらに、ガイド壁とギア間の寸法のバラツキがあってもスプリングを設けることにより指針部材を目盛りに沿ってスムーズに移動させることができ、見栄えがよくなる。
【００２８】
請求項７記載の発明によれば、全歯ギアと逆方向に回転するギアを半歯ギアにすることにより、簡単に半歯ギアとラックとが噛み合わないように設けることができるので、簡単に複数のギアのうち同一方向に回転するギアと噛み合うようにラックを設けることができる。
【００２９】
請求項８記載の発明によれば、第１のギアと逆方向に回転する第２のギアを指針部材とは離れた側で第１のギアと噛み合うように配列することにより、簡単に第２のギアとラックとが噛み合わないように設けることができるので、簡単に複数のギアのうち同一方向に回転するギアと噛み合うようにラックを設けることができる。
【発明を実施するための最良の形態】
【００３０】
第１実施形態
以下、本発明の第１実施形態を図面に基づいて説明する。図１は、第１実施形態における本発明の指針装置の文字板を外した状態での正面図である。図２は、図１の指針装置を構成するギアの部分斜示図である。図３は、図１の指針装置を構成する指針部材の斜示図である。図４は、図１の指針装置を構成するギア及び指針部材の部分斜示図である。
【００３１】
同図に示すように、指針装置は、円弧状に目盛りが形成された文字板（図示せず）と、目盛りを指示する指針部材１０と、この指針部材１０を目盛りに沿って移動させる指針移動手段としての指針移動部２０と、円弧状の目盛りに囲まれるように配置される他の表示器としての液晶表示器３０と、目盛りに沿って設けられたガイド壁４０とを備えている。
【００３２】
上記指針移動部２０は、複数のギア２１と、駆動手段としてのモータ２２とを有している。複数のギア２１は、隣り同士が噛み合うように目盛りに沿って一列に配列されて設けられている。本実施形態において複数のギア２１は、１５個設けられている。複数のギア２１は、全歯ギア２１Ａと、半歯ギア２１Ｂとから構成されている。
【００３３】
図２に示すように、全歯ギア２１Ａは、回転軸方向の全長に亘って歯が設けられているギアである。半歯ギア２１Ｂは、回転軸方向の端部のみに歯が設けられているギアである。半歯ギア２１Ｂは、歯が設けられている端部が背面側になるように取り付けられる。全歯ギア２１Ａ及び半歯ギア２１Ｂは、交互に配列されている。全歯ギア２１Ａが複数のギア２１の中央に配置される。そして、複数のギア２１の中央に配置された全歯ギア２１Ａが、モータ２２の駆動軸に取り付けられている。
【００３４】
以上の構成により、モータ２２が回転すると全ての全歯ギア２１Ａは、モータ２２の回転方向と同一方向に回転する。これに対して、半歯ギア２１Ｂは、モータ２２の回転方向と逆方向に回転する。
【００３５】
上記指針部材１０は、指針本体１１とラック１２とガイドローラ１３とを備えている。ラック１２は、長尺状に形成され、その長手方向に沿って複数の歯が設けられている。ラック１２は、複数のギア２１のうち互いに同一方向に回転する全歯ギア２１Ａと噛み合うように設けられている。ラック１２は、全歯ギア２１Ａとは逆方向に回転する半歯ギア２１Ｂとは噛み合わないように設けられている。
【００３６】
上記指針本体１１は、上記ラック１２の歯が設けられている面とは反対側に向かって突出して設けられている。指針本体１１は、ラック１２の長手方向の中央部に設けられ、目盛りを指示する。上記ガイド壁４０は、複数のギア２１との間に指針部材１０を挟むように、目盛りに沿って設けられている。上記ガイドローラ１３は、ラック１２の長手方向両端にガイド壁４０と摺接して回転するように設けられている。
【００３７】
また、上記指針本体１１は、文字板よりも正面側に配置されるように設けられる。一方、ギア２１、ラック１２、ガイドローラ１３及びガイド壁４０は、文字板の背面側に配置されるように設けられ、これらが正面から視認されることがないようにしている。なお、上述した複数のギア２１は受け皿状のケースＣ１内に収容されている。上記ガイド壁４０は、このケースＣ１の内壁である。
【００３８】
上述した構成の指針装置の動作を以下説明する。モータ２２が、計測値に応じて駆動軸を回転する。これにより、この駆動軸に取り付けられた複数のギア２１のうち中央に配置された全歯ギア２１Ａが、モータ２２と同一方向に回転する。この中央の全歯ギア２１Ａの回転によって両隣りの半歯ギア２１Ｂが、全歯ギア２１Ａとは逆方向、即ちモータ２２とは逆方向に回転する。
【００３９】
次に、半歯ギア２１Ｂの逆方向の回転によって隣りの全歯ギア２１Ａが、半歯ギア２１Ｂとは逆方向、即ちモータ２２と同一方向に回転する。このようにモータ２２の回転力が、複数のギア２１の中央から両端に向かって順次伝動される。結果、全歯ギア２１Ａがモータ２２と同一方向に回転し、半歯ギア２１Ｂがモータ２２と逆方向に回転する。
【００４０】
そして、この全歯ギア２１Ａの回転によってラック１２が移動する。このとき、ラック１２は、全歯ギア２１Ａの回転方向に応じた方向に移動する。例えば、全歯ギア２１Ａが右回りＹ１に回転していれば、ラック１２は右方向に移動する。一方、全歯ギア２１Ａが左回りＹ２に回転していれば、ラック１２は左方向に移動する。これにより、指針本体１１が文字板上を移動し、計測値に対応する目盛りを指示する。
【００４１】
上述した指針装置によれば、モータ２２が複数のギア２１の一つを回転させると、この回転力が残りのギア２１に伝わり、全てのギア２１が回転する。ラック１２が複数のギア２１のうち同一方向に回転する全歯ギア２１Ａと噛み合うため、指針部材１０をギア２１の配列、即ち目盛りに沿って移動させることができる。従って、小さなギア２１を目盛りに沿って配列することにより、指針部材１０を目盛りに沿って移動させることができ、省スペース化を図ると共に多形状の目盛りを指示可能にしつつ目盛りに囲まれた部分を空けることができる。
【００４２】
また、上述した指針装置によれば、液晶表示器３０が、弧状の目盛りに囲まれて配置されている。従って、小さなギア２１を目盛りに沿って配列することにより、弧状の目盛りに囲まれて液晶表示器３０が配置されていても指針部材１０を目盛りに沿って移動させることができ、目盛りに囲まれるように液晶表示器３０を配置することができる。
【００４３】
ところで、ギア２１には必ずバックラッシュが生じる。ギア２１のバックラッシュとは、ギア２１同士の噛み合いのガタのことである。このバックラッシュが原因となってモータ２２の駆動軸に取り付けられている全歯ギア２１Ａが反転するとき、その全歯ギア２１Ａの回転は直ぐに全てのギア２１に伝動されない。即ち、モータ２２の駆動軸に取り付けられている全歯ギア２１Ａから離れたギア２１ほど遅れて伝わる。そして、これが原因となって指示誤差が生じる。
【００４４】
例えば、モータ２２を複数のギア２１のうち右端の一つに取り付けると、左端の一つのギア２１には複数のギア２１の数分のバックラッシュに応じた誤差が発生する。本実施形態では、上述したようにモータ２２が、複数のギア２１のうち中央の全歯ギア２１Ａを回転するように設けられているので、最大でもギア２１の数の半分のガタに応じた指示誤差となるため、ギア２１のバックラッシュによる指示誤差を低減することができ、正確に目盛りを指示することができる。
【００４５】
また、上述した指針装置によれば、ガイド壁４０が複数のギア２１との間に指針部材１０を挟むように目盛りに沿って設けられ、指針部材１０が、ガイド壁４０と摺接して回転するガイドローラ１３を有するので、指針部材１０を目盛りに沿ってスムーズに移動させることができる。
【００４６】
また、上述した指針装置によれば、ラック１２が、交互に配列された全歯ギア２１Ａ及び半歯ギア２１Ｂのうち全歯ギア２１Ａに噛み合うように設けられている。従って、全歯ギア２１Ａと逆方向に回転するギアを半歯ギア２１Ｂにすることにより、簡単に半歯ギア２１Ｂとラック１２とが噛み合わないように設けることができるため、簡単に複数のギア２１のうち同一方向に回転するギア２１と噛み合うようにラック１２を設けることができる。
【００４７】
第２実施形態
次に、本発明の第２実施形態を図面に基づいて説明する。図５は、第２実施形態における本発明の指針装置の分解斜視図である。図６は、図５に示す指針装置の正面図である。なお、図５及び図６において、図１〜図４について上述した第１実施形態ですでに説明した部分と同等の部分には同一符号を付してその詳細な説明を省略する。
【００４８】
同図に示すように、指針装置は、文字板（図示せず）と、指針部材１０と、指針移動部２０と、液晶表示器（図示せず）と、ガイド壁４０とを備えている。上記指針移動部２０は、複数のギア２１と、モータ２２とを有している。複数のギア２１は、第１実施形態と同様に、隣り同士が噛み合うように目盛りに沿って一列に配列されて設けられている。本実施形態において複数のギア２１は、１３個設けられている。複数のギア２１は、第１のギア２１Ｃとこの第１のギア２１Ｃよりも径の小さい第２のギア２１Ｄとから構成されている。
【００４９】
図５に示すように、第１のギア２１Ｃ及び第２のギア２１Ｄは、回転軸方向の全長に亘って歯が設けられている全歯ギアから構成されている。第１のギア２１Ｃ及び第２のギア２１Ｄは、交互に配列されている。第１のギア２１Ｃが複数のギア２１の中央に配置される。そして、複数のギア２１の中央に配置された第１のギア２１Ｃが、モータ２２の駆動軸に取り付けられている。
【００５０】
以上の構成により、モータ２２が回転すると全ての第１のギア２１Ｃは、モータ２２の回転方向と同一方向に回転する。これに対して、第２のギア２１Ｄは、モータ２２の回転方向と逆方向に回転する。
【００５１】
上記指針部材１０は、指針本体１１とラック１２とプーリー１４とを備えている。ラック１２は、長尺状に形成され、その長手方向に沿って複数の歯が設けられている。ラック１２は、複数のギア２１のうち互いに同一方向に回転する第１のギア２１Ｃと噛み合うように設けられている。
【００５２】
上記第２のギア２１Ｄは、第１のギア２１Ｃの回転軸よりも指針部材１０とは離れた側で第１のギア２１Ｃと噛み合うように配列されている。これにより、ラック１２は、第１のギア２１Ｃとは逆方向に回転する第２のギア２１Ｄとは噛み合わないように設けることができる。また、ラック１２には、指針本体１１側に突出する圧入突部１２Ａが設けられている。
【００５３】
上記指針本体１１は、取付部１１Ａと指針部１１Ｂとを備えている。取付部１１Ａは、ラック１２とほぼ同じ長さの長尺状に形成されて長手方向の両端に後述するプーリー１４が取り付けられる。取付部１１Ａには、そのラック１２側に圧入孔１１Ｃが設けられている。圧入孔１１Ｃには、ラック１２の圧入突部１２ＡがスプリングＳを介して圧入される。このスプリングＳは、ガイド壁４０と垂直方向に伸縮する。
【００５４】
指針部１１Ｂは、ラック１２側に向かって突出して設けられている。指針部１１Ｂは、取付部１１Ａの長手方向の中央に設けられ、目盛りを指示する。上記ガイド壁４０は、第１実施形態と同様に、複数のギア２１との間に指針部材１０を挟むように、目盛りに沿って設けられている。上記プーリー１４は、取付部１１Ａに取り付けられた滑車とこの滑車に巻かれたベルトとで構成されている。プーリー１４は、ガイドローラ１３と同様に、ガイド壁４０と摺接して回転するように設けられている。このプーリー１４により第１実施形態と同様に指針部材１０がスムーズに移動する。
【００５５】
なお、上述した複数のギア２１は受け皿状のケースＣ１内に収容され、ケースＣ１には上カバーＣ２が取り付けられる。上記ガイド壁４０は、このケースＣ１の内壁である。
【００５６】
上述した構成の指針装置の動作を以下説明する。モータ２２が、計測値に応じて駆動軸を回転する。この回転がギア２１に伝動し、第１のギア２１Ｃがモータ２２と同一方向に回転し、第２のギア２１Ｄがモータ２２と逆方向に回転する。そして、この第１のギア２１Ｃの回転によってラック１２が移動する。このとき、ラック１２は、第１のギア２１Ｃの回転方向に応じた方向に移動する。例えば、第１のギア２１Ｃが右回りＹ１に回転していれば、ラック１２は右方向に移動する。一方、第１のギア２１Ｃが左回りＹ２に回転していれば、ラック１２は左方向に移動する。これにより、指針本体１１が文字板上を移動し、計測値に対応する目盛りを指示する。
【００５７】
上述した指針装置によれば、ラック１２が、ガイド壁４０と垂直方向に伸縮するスプリングＳを介して指針本体１１に取り付けられているので、プーリー１４がガイド壁４０に接することにより発生する異音を防止することができる。さらに、ガイド壁４０とギア２１間の寸法のバラツキがあってもスプリングＳを設けることにより指針部材１０を目盛りに沿ってスムーズに移動させることができる。
【００５８】
また、上述した指針装置によれば、第２のギア２１Ｄが、第１のギア２１Ｃの回転軸よりも指針本体１１とは離れた側で第１のギア２１Ｃと噛み合うように配列され、そして、ラック１２が、第１のギア２１Ｃに噛み合うように設けられている。従って、第１のギア２１Ｃと逆方向に回転する第２のギア２１Ｄを指針本体１１とは離れた側で第１のギア２１Ｃと噛み合うように配列することにより、簡単に第２のギア２１Ｄとラック１２とが噛み合わないように設けることができるため、簡単に複数のギア２１のうち同一方向に回転するギア２１と噛み合うようにラック１２を設けることができる。
【００５９】
なお、上述した第１及び第２の実施形態では、ガイド壁４０にガイドローラ１３又はプーリー１４を摺接させていたが、本発明はこれに限ったものではない。例えば、図７に示すように、樹脂製又は金属製の板バネ１５をガイド壁４０に摺接させて、指針部材１０をスムーズに移動させるようにしてもよい。
【００６０】
また、上述した第１及び第２実施形態では、モータ２２は、ラック１２と噛み合うギア２１の一つを回転させていたが、本発明はこれに限ったものではない。例えば、ラック１２と噛み合わないギア２１の一つを回転させるようにしてもよい。
【００６１】
また、上述した第１及び第２実施形態では、モータ２２は、中央のギア２１を回転させていたが、本発明はこれに限ったものではない。複数のギア２１の一つであればどれでもよい。
【００６２】
また、上述した第１及び第２実施形態では、目盛りが弧状に形成され、複数のギア２１も弧状に配列されていたが、本発明はこれに限ったものではない。本発明は、目盛りの形状はどんな形状であっても対応することができる。
【００６３】
また、第１実施形態では、指針本体１１とラック１２とが一体に設けられていたが、第２実施形態と同様に別体に設けてスプリングＳを介して取り付けるようにしてもよい。
【００６４】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６５】
【図１】第１実施形態における本発明の指針装置の文字板を外した状態での正面図である。
【図２】図１の指針装置を構成するギアの部分斜示図である。
【図３】図１の指針装置を構成する指針部材の斜示図である。
【図４】図１の指針装置を構成するギア及び指針部材の部分斜示図である。
【図５】第２実施形態における本発明の指針装置の分解斜視図である。
【図６】図５に示す指針装置の正面図である。
【図７】他の実施形態における指針部材の斜示図である。
【図８】従来の指針装置の一例を示す正面図である。
【図９】図８に示す指針装置の文字板、液晶表示器を取り外した状態での正面図である。
【符号の説明】
【００６６】
１０    指針部材
１１    指針本体
１２    ラック
１３    ガイドローラ
１４    プーリー
１５    板バネ
２０    指針移動部（指針移動手段）
３０    液晶表示器（他の表示器）
４０    ガイド壁
２１    ギア
２２    モータ（駆動手段）
２１Ａ  全歯ギア
２１Ｂ  半歯ギア
２１Ｃ  第１のギア
２１Ｄ  第２のギア
Ｓ      スプリング
【図１】
2008128948.tif 000003
【図２】
2008128948.tif 000004
【図３】
2008128948.tif 000005
【図４】
2008128948.tif 000006
【図５】
2008128948.tif 000007
【図６】
2008128948.tif 000008
【図７】
2008128948.tif 000009
【図８】
2008128948.tif 000010
【図９】
2008128948.tif 000011